(57)【特許請求の範囲】
【請求項１】
履物をターゲット位置に整然と整列させる整列基材及び履物であって、
永久磁石を備えた非磁性素材からなる整列基材と、
永久磁石を備えた履物部材からなり、
前記整列基材に備えられている前記永久磁石と、前記履物部材に備えられた永久磁石とが、極性（Ｎ極とＳ極）による磁着又は反発、若しくはこれらの組合せによる磁性特性を利用するとともに、双方の永久磁石が其々の中心へと向かうような磁着特性を発揮するために必要な形状、大きさ、若しくは配置により、前記履物部材が前記整列基材の所定位置に対し、前記履物のつま先とかかとを特定の一つの方向と位置に正確に磁着させることを特徴とする履物及び履物の整列基材。
【請求項２】
前記整列基材と前記履物との組み合わせが２つ以上である場合において、係る履物のつま先が全て同一方向に向かって整列するように磁着させることを特徴とする請求項１に記載の履物及び履物の整列基材。
【請求項３】
前記整列基材側の永久磁石と前記履物側の永久磁石とが同一形状かつ同一面積であることを特徴とする請求項１又は請求項２に記載の履物及び履物の整列基材。
【請求項４】
前記整列基材側の永久磁石が広範囲の面積を有する永久磁石を用い、これに対し前記履物側の永久磁石は基材に垂直方向を長手とする棒状又は平板状の永久磁石であることを特徴とする請求項１又は請求項２に記載の履物及び履物の整列基材。
【請求項５】
前記整列基材側の永久磁石と前記履物側の永久磁石とが同一面積の円形状であることを特徴とする請求項１乃至請求項３に記載の履物及び履物の整列基材。
【請求項６】
前記整列基材側の永久磁石と前記履物側の永久磁石とが同一面積のリング状であることを特徴とする請求項１乃至請求項３に記載の履物及び履物の整列基材。
【請求項７】
前記整列基材の永久磁石は、複数の棒状又は平板状の永久磁石から構成され、該棒状又は平板状の永久磁石の一方の極性が、中心に向かうように放射状に配設され、該放射状に配列された中心側の極性を生ずるエリアよりも内側に他方の極性を履物側に備えたことを特徴とする請求項１または請求項２に記載の履物及び履物の整列基材。
【発明の詳細な説明】
【技術分野】
【０００１】
本発明は、複数の履物を並べる際の作業の効率化を図る技術に関し、詳しくは、磁石の有する吸引力を利用して、所定のターゲット位置へ履物を誘導し磁着させることにより、複数の履物を美しく整然と配置することができる履物の整列基材技術に関する。
【背景技術】
【０００２】
わが国の文化的な特色として、冠婚葬祭や学校等の入学式などの式典において、或いは、催事場や体育館の入り口で履物を履き替える慣習がある。この場合、入場者のために多数の履物等を並べて出迎えることがある。係る準備は担当者が一足ずつ丁寧に並べていくため、時間と労力が大きいものである。特に、ホテルや旅館等の宿泊施設の提供をサービスとする業種においては、そのサービスの内容やクオリティーを象徴するものとして、常に玄関に並べられる履物等は細心の注意を払って並べられる。そのため、係る作業に対する労力の軽減や時間の短縮を図る技術が求められるところである。
【０００３】
また、トイレ等では、素足で歩かないよう、専用スリッパが用意されていることも多い。しかしながら、係るトイレ利用者の中には、脱ぎ散らかされている場合があり、次に利用する人への思い遣りや配慮に欠ける使用態様も残念ながら少なくない。また更に、このような脱ぎ散らかしのみならず、スリッパの左右が合っていなかったり、爪先の向きが逆になっていたりして、見栄えが悪くなったりすることも多い。更に付言すると、腰を曲げるのが困難な老人や、病気等の身体的理由により腰を曲げて履物等を揃えることが困難な方もいる。このような方々にまで履物の使用後の整頓を強制するのは酷な場合も存在する。
【０００４】
このような現状の下、従来からも種々の技術が提案されてきた。例えば、左右対象となる履物が一対となり、取扱いも容易な履物を提供する技術が提案され公知となっている（特許文献１）。より詳しくは、左右対となる履物において、それぞれの履物の向かい合う側部に永久磁石を対極状態で配置し、前記左右対となる履物を備えた状態では、前記対極する永久磁石によって、前記左右対となる履物が吸引し合っている履物の技術である。しかしながら、履物を脱いだときに、各々が近くになければ吸引せず、また、複数の履物を有する公共施設では、どの履物でも吸引する場合があり、また、所定の面積内に整然と整列させたり定めたい方向に履物の向きを特定したり、全ての履物の向き（例えばスリッパの爪先方向）を揃えた前記した課題の解決には至っていない。
【０００５】
また、玄関内部のスペースを有効利用するため、履物、壁双方に永久磁石を付けたスリッパ収納セットが提案され公知となっている（特許文献２）。より詳しくは、スリッパ収納セットは、板状のスリッパ保持ボードと、複数の吸着手段付きスリッパとを組み合わせたものからなり、スリッパ保持ボードは、壁面又はスリッパ収納箱等の開閉扉の前面に取り付け可能な寸法及び形状の軟磁性体の基板からなり、吸着手段付きスリッパは底板部の全面又は一部に永久磁石を設けたものからなる。しかしながら、本先行技術では、壁にスリッパを吸着することのみ記載されており、複数のスリッパ（履物）を整然と整列させることは記載されておらず、前記課題の解決には至っていない。
【０００６】
更に、特許文献３においては履物の底部に所定の間隔を離して埋設させた複数の永久磁石と、この永久磁石と吸着するためにこれと対応した間隔で履物に埋設された複数の磁性体片とからなる履物止め機構が記載され公知技術となっている。しかし、係る発明は、永久磁石と、磁性材料との組み合わせであり、磁性特性を利用して磁着させる点では共通するものの、永久磁石と磁性材料とでは、極性にかかわらず吸着してしまうため、磁極の特性を生かす利用はできない。従って、本願発明のように磁石の特性を利用して履物の向きを特定の方向に向ける等はできない。
【０００７】
また更に、特許文献４には、磁石の極性を利用し、履物の向きを特定する技術が開示され、公知技術となっている。係る技術によれば、磁石の極性を利用して履物の向きを特定して備えることも可能となる。しかしながら、係る記載された技術は衛生面を考慮してトイレ等の床の汚れが付着した底面同士で吸着させ、足挿入部に係る汚れを付着させないようにすることが主たる目的であると考えられ、所定の領域内に任意の方向に向けて正確に配置することまでできるものではない。
【０００８】
本発明者はそれらの問題を解決しようと、永久磁石等を用いて、履物をマットにずれ上に整列させることに着目し、「履物及び履物の整列基材」の提案に至るものである。なお、前記した特許文献、及びこれらの文献のみならず、先行する他の技術文献にも、永久磁石を用いた履物の技術に関して、種々の技術が提案されている。しかしながら、これらの技術において利用される磁石は、単に磁性による吸着特性や、配置位置による位置決めを目的としたもので、係る記載内容からは精度の高い位置決めや、方向性、更には、磁着エリア内から中心に磁着させる効果を発揮するものではなかった。これに対し本願発明では、対向させる永久磁石同士の形状と大きさによる磁着特性の相違に着目してこれを利用したものであり、従来技術に比較して着磁の際にズレがないように正確に履物を配置することが可能であり、両磁石の磁場が干渉し吸引される領域からその中心に引き寄せて磁着させるという、前記特許文献のいずれにも記載されていない有利な効果を発揮するものであって、前記特許文献において上位概念で示された発明が有する効果とは異質な効果、又は同質であるが際立って優れた効果を有しているものである。
【先行技術文献】
【特許文献】
【０００９】
【特許文献１】特開平１０−２３４４０４号
【特許文献２】実用新案登録第３１２２２３５号
【特許文献３】実願平４−３３０２５号（実開平５−８４２０２号）
【特許文献４】実願昭５５−１４６４９７号（実開昭５７−６８６０１号）
【発明の概要】
【発明が解決しようとする課題】
【００１０】
本発明は上記問題点に鑑み、履物を所定のマットに対して等間隔、又は前後左右に履物を正確に整列させるマットの提供を図る。
【課題を解決するための手段】
【００１１】
本発明に係る履物及び履物の整列基材は、履物をターゲット位置に整然と整列させる整列基材及び履物であって、永久磁石を備えた非磁性素材からなる整列基材と、永久磁石を備えた履物部材からなり、前記整列基材に備えられている前記永久磁石と、前記履物部材に備えられた永久磁石とが、極性（Ｎ極とＳ極）による磁着又は反発、若しくはこれらの組合せによる磁性特性を利用するとともに、双方の永久磁石が其々の中心へと向かうような磁着特性を発揮するために必要な形状、大きさ、若しくは配置により、前記履物部材が前記整列基材の所定位置に対し、前記履物のつま先とかかとを特定の一つの方向と位置に正確に磁着させる手段を採用した。

【００１２】
また、本発明は、前記整列基材と前記履物との組み合わせが２つ以上である場合において、係る履物のつま先が全て同一方向に向かって整列するように磁着させる手段とすることもできる。
【００１３】
また、本発明は、前記整列基材側の永久磁石と前記履物側の永久磁石とが同一形状かつ同一面積であることを手段とすることもできる。
【００１４】
また、本発明は、前記整列基材側の永久磁石が広範囲の面積を有する永久磁石を用い、これに対し前記履物側の永久磁石は基材に垂直方向を長手とする棒状又は平板状の永久磁石であることを手段とすることもできる。
【００１５】
また、本発明は、前記整列基材側の永久磁石と前記履物側の永久磁石とが同一面積の円形状であること手段とすることもできる。
【００１６】
また、本発明は、前記整列基材側の永久磁石と前記履物側の永久磁石とが同一面積のリング状であること手段とすることもできる。
【００１７】
また、本発明は、前記整列基材の永久磁石は、複数の棒状又は平板状の永久磁石から構成され、該棒状又は平板状の永久磁石の一方の極性が、中心に向かうように放射状に配設され、該放射状に配列された中心側の極性を生ずるエリアよりも内側に他方の極性を履物側に備えたことを手段とすることもできる。
【発明の効果】
【００１８】
本発明に係る履物及び履物の整列基材によれば、手間をかけることなく多数の履物を整然と整列させることが可能であり、その際の整列状態における位置及び向きの精度が高く、例えば、冠婚葬祭や学校行事等で大人数の来客者を招く場合に、主催者側の歓迎の意を示す姿勢を表現できるという優れた効果を発揮するものである。
【００１９】
また、玄関先での履き替えは、わが国特有の文化であり、玄関先で履物をきちんと並べたり、向きを揃えるなどの道徳的行為を習慣化する効果が発揮され、係る意識の高まりは日本の生活文化をより良く継承する社会的貢献に資する効果を発揮する技術ともいえる。  特に、成長期において履物を揃える生活習慣を、家庭のみならず、教育現場や公共施設においても身に付けさせることは有効なものといえる。
更に、高齢者やハンディキャップを持つ方には、履物を履き替える際、腰や膝を曲げる動作が負担になる方や困難な方もいるため、係る負担の軽減といった有利な効果を奏するものである。
【００２０】
また、本発明に係る履物及び履物の整列基材によれば、玄関などの狭いスペースでも、縦配置の壁掛け型とすることで有効に備えることができ、集合住宅等のような狭い玄関等であっても、邪魔にならず有効である。
【００２１】
さらに、スリッパを重ねて収納する場合であると、重ね方によっては底面についた汚れを人の足が接触する部分に移してしまう場合があるが、本願発明ではそのような心配は無いという点において衛生的であるといった優れた効果を発揮する。
【図面の簡単な説明】
【００２２】
【図１】本発明に係る履物及び履物の整列基材の実施例１における、履物を整列させた図、履物の永久磁石位置を示す図、履物及びマットの吸着の様子を示す断面図である。
【図２】本発明に係る履物及び履物の整列基材の実施例２における、履物を整列させた図、履物の永久磁石位置を示す図、履物及びマットの吸着の様子を示す断面図である。
【図３】本発明に係る履物及び履物の整列基材の実施例３における、履物を整列させた図、履物の永久磁石位置を示す図、履物及び整列基材の吸着の様子を示す断面図である。
【図４】本発明に係る履物及び履物の整列基材の実施例４における、永久磁石の形状図である。
【図５】本発明に係る履物及び履物の整列基材の実施例５における、履物及び整列基材の吸着の様子を示す断面図、履物用永久磁石の形状図である。
【図６】本発明に係る履物及び履物の整列基材の永久磁石の吸着の様子を示す図である。
【図７】本発明に係る履物及び履物の整列基材の実施例６における、履物を整列させた図、履物の永久磁石位置を示す図である。
【図８】本発明に係る履物及び履物の整列基材の実施状態説明図である。
【図９】本発明に係る履物及び履物の整列基材の別の実施状態説明図である。
【発明を実施するための形態】
【００２３】
本発明である履物及び履物の整列基材１は、履物を整列基材に整列させる際、作業量を低減しつつ、整列の精度を上げることを最大の特徴とする。以下、実施例を図面に基づいて説明する。
なお、本実施例で示される履物及び履物の整列基材１の全体形状及び各部の形状は、下記に述べる実施例に限定されるものではなく、本発明の技術的思想の範囲内、即ち、同一の作用効果を発揮できる形状及び寸法の範囲内で変更することができるものである。
（実施例１）
【００２４】
図１に従って、本発明を説明する。図１（ａ）は、本発明に係る履物及び履物の整列基材の実施例１における、履物２を整列させた図である。図１（ｂ）は同実施例における履物２の永久磁石位置を示す図である。図１（ｃ）は同実施例における本願発明に係る履物及び履物の整列基材１の吸着の様子を示す断面図である。
履物２及び履物の整列基材１は、病院や宿泊施設等の公共施設、及びトイレＴ等の履物を並べる必要のある整列基材３と並べられる履物２からなり、整列基材３の上に、履物２が並べられる。
【００２５】
また、履物２は、公共施設内を歩く際に、不特定多数の人が利用するものであり、一時的に使うものであるので、安価で単純な構造のものが求められる。履物２の底部２０１の前部分には第１の履物用永久磁石４が埋め込まれている状態を図１（ｂ）に示すものである。
第１の履物用永久磁石４は、厚さが１〜２ミリ程度で直径が２〜３センチ程度のコイン型の永久磁石である。材質はネオジウム等であり、磁力が強いものが好適である。底部２０１は厚さが数ミリしかないので、このような形状でないと配置できない。また、極めて薄い形状でも強い磁力が必要なのでネオジウム等が好適である。
第１の履物用永久磁石４は、円形部分が磁極となっている。床に接触する方の円形部が吸着側磁極部４０１であり、整列基材３側に配置された永久磁石と対向して、吸着する側である。本例では、S極である。吸着側磁極部４０１の逆側の磁極部が非吸着側磁極部４０２であり、N極である。ただし、係る極性は、例示であって、この逆でもよい。
【００２６】
整列基材３は、履物等を並べる部分であり、ベース素材６と第１のマット用永久磁石７から成る。ベース素材６は、クッション性のある部材であり、靴から履物に履き替える際に、直接ベース素材６を踏んでも不快に感じない程度の弾力を持つことが望ましい。素材としては、一般的な玄関マット等を利用することが考えられるが、マット素材に限らず、樹脂、ビニール、金属、自然石等の非磁性材料であればよい。なお、等方性マグネットシートのように、全面が一つの極性を有するシート状の永久磁石を用いる場合は、この限りではない。
例えば、一般的なマットに、第１のマット用永久磁石７は、厚さが１〜２ミリ程度で直径が２〜３センチ程度のコイン型の永久磁石を用い、材質はネオジウム等の磁力が強い磁石を用いることが好適である。なお、ベース素材６は、数ミリメートル程度の薄いものから数センチメートル程度の厚くても埋め込む深さとの関係において、磁力の磁性特性に影響を与えないものであればよい。ベース素材６をくり貫いて、平坦な面状態を維持すれば違和感の無いものとなる。即ち、第１のマット用永久磁石７を配置したり、ベース素材６の上に第１のマット用永久磁石７を置いてもよい。
【００２７】
第１のマット用永久磁石７は、円形部分が磁極となっている。履物に接触する方の円形部が吸着側磁極部７０１であり、履物２側に配置された永久磁石と対向して、吸着する側である。本例では、N極である。吸着側磁極部７０１の逆側の磁極部が非吸着側磁極部７０２であり、S極である。
第１のマット用永久磁石７は、履物２を整列させたい方向に、直線的に配置する。第１の整列基材用永久磁石７の間隔は、履物２を整列した際の、第１の履物用永久磁石４の間隔程度が望ましい。そうすることで、履物２の第１の履物用永久磁石４が、この直線状に配置され、履物２が直線状に配置される。
また、第１の整列基材用永久磁石７の間隔を等間隔にしても良いが、履物２は２つ組で使用するものであるので、履物２が２つごとにまとまるように、第１の整列基材用永久磁石７の間隔を２つ置きに変えても良い。
【００２８】
次に、整列基材３に履物２を配置する際の動作について説明する。整列基材３上に履物２を滑らせる、又は、履物２を置いていく際、履物２の第１の履物用永久磁石４の吸着側磁極部４０１と、整列基材３の第１のマット用永久磁石７の吸着側磁極部７０１が引き合う（図１（ｃ））。
吸着側磁極部４０１がＳ極、吸着側磁極部７０１がＮ極である場合を例示すると、履物２の第１の履物用永久磁石４と整列基材３の第１の整列基材用永久磁石７の位置は合致し、履物２は、整列基材３上に整然と整列される（図１（ａ））。
よって、履物２を配置する作業者は、履物２を整列基材３に対して、ラフに配置するだけで、後は第１の履物用永久磁石４と第１の整列基材用永久磁石７の吸着力によって、手間無く履物２を整然と整列させることができる。
（実施例２）
【００２９】
実施例２について図２を用いて説明する。実施例１と同様の部分は省略する。図２（ａ）は、本発明に係る履物及び履物の整列基材１において履物の方向を特定の方向に整列させた図である。図２（ｂ）は同実施例における履物の永久磁石位置を示す図である。図２（ｃ）は同実施例における履物及び整列基材の吸着の様子を示す断面図である。
実施例１によって、手間無く履物２を整然と整列させることができるようになるが、整列基材３の第１の整列基材用永久磁石７へ履物２の第１の履物用永久磁石４の固定は一箇所であるので、場合によっては、履物２が第１の履物用永久磁石４を軸に回転してしまい、履物２同士がハの字やヘの字に配置されることがあり、分割される領域内に個々の履物２は配置できるものの、全体として見栄えの良い整列とならない場合もある。そこで、隣り合う履物２同士も精度よく整列するため、整列基材３への永久磁石を２列に配置し、履物２の永久磁石も２箇所にすることで、上記の問題を改善する。
【００３０】
即ち、履物２の底部２０１には２つの永久磁石を配置し、該底部２０１の前部分には第１の履物用永久磁石４を配置し、後ろ部分には第２の履物用永久磁石５を配置する（図２（ｂ））。係る第１の履物用永久磁石４と第２の履物用永久磁石５の間隔は、後記する第１の整列基材用永久磁石７と第２の整列基材用永久磁石８の間隔と同一である。なお、図２（ａ）、図2（ｂ）、図２（ｃ）において、第1の履物用永久磁石４、及び第2の履物用永久磁石５とも整列基材３に当たるほうをＳ極として配置した場合は、爪先向きの特定はされないが、爪先と踵の2つの方向に正確に磁着できる。また、これとは異なり、第1の履物用永久磁石４と第2の履物用永久磁石５の極性をＳ極とＮ極とで各々異なるように配置するか、又は複数の履物２を一列に並べた場合は、常に全ての履物２の爪先を特定の方向に磁着可能となる。
【００３１】
整列基材３はベース素材６と第１の整列基材用永久磁石７と第２の整列基材用永久磁石８とから構成されている。ベース素材６は非磁性材料を用いることが原則であるが、玄関に用いられる一般的なマットを加工してもよく、柔軟な素材に限定されることなく、樹脂製や金属製でもよい。用いてもよく、材のように柔軟で第１の整列基材用永久磁石７の配置は、実施例１と同様である。第２の整列基材用永久磁石８は、第１の整列基材用永久磁石７を配置した直線に平行に配置される。２つの直線の間隔は、履物２の第１の履物用永久磁石４と第２の履物用永久磁石５の間隔と同一である。第１の整列基材用永久磁石７、第２の整列基材用永久磁石８は、実施例１の第１の整列基材用永久磁石７と同様にベース素材６をくり貫く、又はベース素材６の上に置く等の方法で配置される。前記の第１の整列基材用永久磁石７、第２の整列基材用永久磁石８とも履物２側をＮ極とするか、第１の整列基材用永久磁石７と第２の整列基材用永久磁石８との極性を、Ｓ極とＮ極とで各々異なるように配置するか、若しくは複数の履物２を一列に並べた場合は、常に全ての履物２の爪先を特定の方向に磁着可能となる。
【００３２】
次に動作について説明する。整列基材３上に履物２を滑らせる、又は、履物２を置いていく際、履物２の第１の履物用永久磁石４と整列基材３の第１の整列基材用永久磁石７、履物２の第２の履物用永久磁石５と整列基材３の第２の整列基材用永久磁石８が引き合う（図２（ｃ））。
第１の履物用永久磁石４、第２の履物用永久磁石５の整列基材側の磁極がＳ極、第１の整列基材用永久磁石７、第２の整列基材用永久磁石８の履物側の磁極がＮ極であるためである。そのため、履物２の第１の履物用永久磁石４と整列基材３の第１の整列基材用永久磁石７の位置、履物２の第２の履物用永久磁石５と整列基材３の第２の整列基材用永久磁石８の位置は合致し、履物２は、整列基材３上に整然と整列される（図２（ａ））。
【００３３】
よって、履物２を配置する作業者は、履物２を整列基材３に対して、ラフに配置するだけで、後は第１の履物用永久磁石４・第２の履物用永久磁石５と第１の整列基材用永久磁石７・第２の整列基材用永久磁石８の吸着力によって、手間無く履物２を整然と整列させることができる。なお、係る説明は実施例であって、
（実施例３）
【００３４】
実施例３について図３を用いて説明する。実施例１と同様の部分は省略する。図３（ａ）は、本発明に係る履物及び履物の整列基材１の実施例３における、履物を整列させた図である。図３（ｂ）は同実施例における履物の永久磁石位置を示す図である。図３（ｃ）は同実施例における履物及び整列基材の吸着の様子を示す断面図である。
実施例１によって、手間無く履物２を整然と整列させることができるようになるが、第１の履物用永久磁石４と第１の整列基材用永久磁石７の距離が離れていると、吸着力が十分発揮できず、第１の履物用永久磁石４と第１の整列基材用永久磁石７が吸着しない場合もある。そこで、第１の履物用永久磁石４と第１の整列基材用永久磁石７の距離がある程度離れていても、吸着する方法が求められていた。
そこで、第１の整列基材用永久磁石７の周囲を逆極性の磁石シートで覆うことで、上記の問題を改善する。
【００３５】
履物及び履物の整列基材１は履物２と整列基材３から構成される。履物２は、底部２０１に第１の履物用永久磁石４を配置する。実施例１と同様である（図３（ｂ））。
整列基材３は、ベース素材６と第１の整列基材用永久磁石７と磁石シート９とから構成される。第１の整列基材用永久磁石７の位置は実施例１と同様である。磁石シート９は、履物２が整列される領域全面に配置される。ベース素材６は、磁石シート９が配置される部分で切除されている。磁石シート９は、ゴム等に磁性材を混ぜ、磁化したものである。磁化方法には、多極着磁方法と、２極両面着磁方法がある。本発明では、２極両面着磁方法によるシートを用いる。シートの一方の面全面にN極を着磁し、他方の面全面にS極を着磁したものである。磁石シート９の履物側磁極部９０１はＳ極、床材側磁極部９０２はＮ極になるように配置する。磁石シート９をくり貫き、第１の整列基材用永久磁石７を配置する。
【００３６】
次に動作について説明する。整列基材３上に履物２を滑らせる、又は、履物２を置いていく際、履物２の第１の履物用永久磁石４と整列基材３の磁石シート９は反発し、履物２の第１の履物用永久磁石４と整列基材３の第１の整列基材用永久磁石７が引き合う（図３（ｃ））。
第１の履物用永久磁石４のマット側の磁極がＳ極、磁石シート９の履物側磁極部９０１はＳ極で反発し、第１の履物用永久磁石４の整列基材側の磁極がＳ極、第１の整列基材用永久磁石７の履物側の磁極がＮ極であるためである。
【００３７】
第１の履物用永久磁石４と第１の整列基材用永久磁石７の距離が遠いと、第１の履物用永久磁石４と磁石シート９の反発のために、整列基材３と履物２間の摩擦が軽減し、より容易に第１の履物用永久磁石４が第１の整列基材用永久磁石７の方向に移動し、第１の履物用永久磁石４と第１の整列基材用永久磁石７が吸着可能となる。よって履物２の第１の履物用永久磁石４と整列基材３の第１の整列基材用永久磁石７の位置は合致し、履物２は、整列基材３上に整然と整列される（図３（ａ））。
【００３８】
よって、履物２を配置する作業者は、履物２を整列基材３に対して、ラフに配置するだけで、後は第１の履物用永久磁石４と磁石シート９の反発力、第１の履物用永久磁石４と第１の整列基材用永久磁石７の吸着力によって、手間無く履物２を整然と整列させることができる。
（実施例４）
【００３９】
実施例４について図４、図６を用いて説明する。実施例１と同様の部分は省略する。図４（ａ）は第１の履物用永久磁石４及び第１の整列基材用永久磁石７の形状図の例である。図４（ｂ）は第１の履物用永久磁石４及び第１の整列基材用永久磁石７の形状図の例である。図４（ｃ）は第１の整列基材用永久磁石７の形状図の例である。図６（ａ）は第１の履物用永久磁石４と第１の整列基材用永久磁石７の大きさが異なる場合の吸着の模式図である。図６（ｂ）は第１の履物用永久磁石４と第１の整列基材用永久磁石７の大きさが同一の場合の吸着の模式図である。図６（ｃ）は第１の履物用永久磁石４と第１の整列基材用永久磁石７の大きさが異なり、第１の履物用永久磁石４が棒状の場合の吸着の模式図である。
【００４０】
実施例１によって、手間無く履物２を整然と整列させることができるようになるが、より精度を上げるには第１の履物用永久磁石４と第１の整列基材用永久磁石７が吸着した際の位置関係が常に一定である必要がある。第１の履物用永久磁石４と第１の整列基材用永久磁石７が吸着しても、あるときは、第１の履物用永久磁石４と第１の整列基材用永久磁石７のセンターが揃い、あるときは、第１の履物用永久磁石４と第１の整列基材用永久磁石７がズレた状態で安定してしまっては、更なる精度アップができない。そこで、第１の履物用永久磁石４と第１の整列基材用永久磁石７が吸着した際、常に第１の履物用永久磁石４と第１の整列基材用永久磁石７の位置関係が一定となる方法が求められていた。
そこで、第１の履物用永久磁石４と第１の整列基材用永久磁石７の形状、面積を同一とすることで、上記の問題を改善する。
【００４１】
実施例１の第１の履物用永久磁石４と第１の整列基材用永久磁石７の形状はコイン状である。両方の大きさが異なる場合の吸着時の配置を検討した。例として、第１の履物用永久磁石４が小さく、第１の整列基材用永久磁石７が大きい場合である。すると、図６（ａ）のように、大きいほうの円板である第１の整列基材用永久磁石７に対して、小さいほうの円板である第１の履物用永久磁石４は、ほとんどの場合、両方の縁が一部で接するように安定する。これは、円板状であるので、非吸着側の磁極同士が接近しており、非吸着側同士で引き合うためと思われる。非吸着側同士の距離が最短となるのは、縁が接する場合だからである（図６（ａ））。
【００４２】
次に、第１の履物用永久磁石４、第１の整列基材用永久磁石７とも同一の大きさの場合であるが、この場合は、ほとんどの場合、円板がずれなく吸着する。これは、吸着側がすべて接触したときが最も吸着力が大きいことと、ずれなく吸着した場合に非吸着側の縁も重なり、非吸着側同士の距離が最短となるためと考えられる。
従って、第１の履物用永久磁石４と第１の整列基材用永久磁石７が同一形状で、かつ、同一面積である際に、吸着時の位置決め精度を最も高くすることができる。
【００４３】
また、第１の履物用永久磁石４又は第１の整列基材用永久磁石７の形状を円形状とすることで、一般的な形状であることから低コストで実施可能となる。
【００４４】
また、第１の履物用永久磁石４又は第１の整列基材用永久磁石７の形状をリング状とすることで、位置ずれ時の吸着力の変化が大きいことから、位置決め精度をさらに上げることができる（図４（ｂ））。
【００４５】
また、図４（ｃ）のように、第１の整列基材用永久磁石７に棒状の永久磁石を放射状に配置した形状とすることで、中心部に引き寄せる範囲を広くすることができる。但し、上記構成と比較するとコスト高となる（図４（ｂ））。
（実施例５）
【００４６】
実施例５について図５、図６を用いて説明する。実施例１と同様の部分は省略する。図５（ａ）、図５（ｂ）は実施例５における棒状の第１の履物用永久磁石１１及び第１の整列基材用永久磁石７の位置を示す断面図である。図５（ｃ）、図５（ｄ）は棒状の第１の履物用永久磁石１１の形状の例である。
実施例４によって、手間無く履物２を整然と整列させることができるようになるが、そのためには、第１の履物用永久磁石４と第１の整列基材用永久磁石７の形状が同一、面積が同一であることが必要である。しかしながら、履物２の形状によっては、第１の履物用永久磁石４と第１の整列基材用永久磁石７を同一形状とできない場合がある。そこで、第１の履物用永久磁石４と第１の整列基材用永久磁石７を同一形状とできない場合でも、常に第１の履物用永久磁石４と第１の整列基材用永久磁石７の位置関係が一定となる方法が求められていた。
【００４７】
そこで、永久磁石の形状を整列基材に垂直方向に長手とする棒状又は平板状とすることで、上記の問題を改善する。この形状の永久磁石を棒状の第１の履物用永久磁石１１とする。
実施例４において、第１の履物用永久磁石４と第１の整列基材用永久磁石７の大きさが異なる場合に、両方の縁が重なるように吸着することを説明した。これは、非吸着側の磁力が影響するからである。すると、非吸着側の磁力が影響しないようにすれば良いことになる。磁力が距離の２乗に反比例する。よって、吸着側の磁極間の距離を１ｍｍとした場合に、非吸着側の磁極間の距離を１０ｍｍ取れれば、非吸着側の磁力は１／１００程度になり、影響は極めて少なくなる。形状としては、棒状（図５（ｃ））、平板状（図５（ｄ））が考えられる。
【００４８】
この条件を満たす形状として、整列基材に垂直方向に長手とする棒状又は平板状が考えられる。図６（ｃ）に示すように、非吸着側磁極の影響は少なくなる。そうすると、吸着側のみの磁力によって、棒状の第１の履物用永久磁石１１と第１の整列基材用永久磁石７の吸着時の位置は決まる。棒状の第１の履物用永久磁石１１が第１の整列基材用永久磁石７に対して中央にあるときが最も吸着力が大きくなるので、常に棒状の第１の履物用永久磁石１１は第１の整列基材用永久磁石７の中央に吸着される。
【００４９】
履物２の高さ方向に棒状の第１の履物用永久磁石１１が突出することになるので、配置に工夫が必要である。棒状の第１の履物用永久磁石１１の高さを１０ｍｍとすると、例えば、かかと部分が厚い履物であれば、かかと部２０２に棒状の第１の履物用永久磁石１１を配置する（図５（ａ））。健康サンダルの形状であれば、土踏まずの突起部２０３に埋め込んでも良い（図５（ｂ））。
【００５０】
このように、永久磁石の形状を整列基材に垂直方向に長手とする棒状又は平板状とすることで、第１の履物用永久磁石４と第１の整列基材用永久磁石７の形状を変えなければ成らない場合であっても、位置決め精度を上げることができる。
（実施例６）
【００５１】
実施例６について図７を用いて説明する。実施例１と同様の部分は省略する。図７（ａ）は、本発明に係る履物及び履物の整列基材１の実施例２における、履物を整列させた図である。図７（ｂ）は同実施例における履物の永久磁石位置を示す図である。
実施例１によって、手間無く履物２を整然と整列させることができるようになるが、履物の種類によっては、左右の形状を変えたものもある。実施例１の方法では、左右の履物を合わせて整列させることができない。そこで、左右の形状が異なる履物であっても、左右の履物を合わせて整列させる方法が求められていた。
そこで、左右の履物で永久磁石の極性を変えることで、上記の問題を改善する。
【００５２】
履物及び履物の整列基材１は履物２と整列基材３から構成される。履物２は、底部２０１に２つの永久磁石を配置する。
履物２は左用履物２１０、右用履物２２０から成る。左用履物２１０の前部分には左用第１の履物用永久磁石１３、後ろ部分には左用第２の履物用永久磁石１５が配置される。右用履物２２０の前部分には右用第１の履物用永久磁石１４、後ろ部分には右用第２の履物用永久磁石１６が配置される（図７（ｂ））。左用第１の履物用永久磁石１３、右用第１の履物用永久磁石１４と左用第２の履物用永久磁石１５、右用第２の履物用永久磁石１６の間隔は、後記する左用第１の整列基材用永久磁石１７、右用第１の整列基材用永久磁石１８と左用第２の整列基材用永久磁石１９、右用第２の整列基材用永久磁石２０の間隔と同一である。左用第１の履物用永久磁石１３、左用第２の履物用永久磁石１５は整列基材３に当たるほうをＳ極として配置されている。右用第１の履物用永久磁石１４、右用第２の履物用永久磁石１６は整列基材３に当たるほうをＮ極として配置されている。
【００５３】
整列基材３はベース素材６と左用磁石シート９１０と右用磁石シート９２０とから構成されている。左用履物２１０を整列させる際、左用第１の履物用永久磁石１３に対応する位置に左用第１の整列基材用永久磁石１７を配置し、左用第２の履物用永久磁石１５に対応する位置に左用第２の整列基材用永久磁石１９を配置している。右用履物２２０を整列させる際、右用第１の履物用永久磁石１４に対応する位置に右用第１の整列基材用永久磁石１８を配置し、右用第２の履物用永久磁石１６に対応する位置に右用第２の整列基材用永久磁石２０を配置している。左用第１の整列基材用永久磁石１７、左用第２の整列基材用永久磁石１９の履物側はＮ極である。右用第１の整列基材用永久磁石１８、右用第２の整列基材用永久磁石２０の履物側はＳ極である。左用磁石シート９１０、右用磁石シート９２０はそれぞれ、左用履物２１０、右用履物２２０の整列されるべき領域の大きさで、交互に配置されている。左用磁石シート９１０の履物側はＳ極である。右用磁石シート９２０の履物側はＮ極である。
【００５４】
次に動作について説明する。整列基材３上を左用履物２１０、右用履物２２０を滑らせる、又は、左用履物２１０、右用履物２２０を置いていく際、左用履物２１０の左用第１の履物用永久磁石１３と整列基材３の左用第１の整列基材用永久磁石１７、左用第２の履物用永久磁石１５と整列基材３の左用第２の整列基材用永久磁石１９が引き合う。また、右用履物２２０の右用第１の履物用永久磁石１４と整列基材３の右用第１の整列基材用永久磁石１８、右用第２の履物用永久磁石１６と整列基材３の右用第２の整列基材用永久磁石２０が引き合う（図７（ａ））。
左用第１の履物用永久磁石１３、左用第２の履物用永久磁石１５の整列基材側の磁極がＳ極、左用第１の整列基材用永久磁石１７、左用第２の整列基材用永久磁石１９の履物側の磁極がＮ極であり、左用磁石シート９１０の履物側の磁極がＳ極であるためである。そのため、左用第１の履物用永久磁石１３は整列基材３の左用第１の整列基材用永久磁石１７の位置、左用第２の履物用永久磁石１５は整列基材３の左用第２の整列基材用永久磁石１９の位置に吸着される。同様に、右用第１の履物用永久磁石１４は整列基材３の右用第１の整列基材用永久磁石１８の位置、右用第２の履物用永久磁石１６は整列基材３の右用第２の整列基材用永久磁石２０の位置で吸着される。履物２は、整列基材３上に整然と整列される（図７（ａ））。
また、左用第１の履物用永久磁石１３と左用第１の整列基材用永久磁石１７の距離が遠くても、左用第１の履物用永久磁石１３は左用磁石シート９１０によって反発され、整列基材と履物底部の摩擦が軽減し、よい容易に左用第１の履物用永久磁石１３と左用第１の整列基材用永久磁石１７が吸着可能となる。他の永久磁石についても同様である。
そのため、履物２を配置する作業者は、履物２を整列基材３に対して、ラフに配置するだけで、手間無く履物２を整然と整列させることができる。
【００５５】
図８は、本発明に係る履物及び履物の整列基材１の実施状態説明図であり、例えば、図８に示すように、図面にも示して履物２を整然と整列させることができるものであることを示している。また、壁側に立てかける配置形状について示している。係る態様を採用する場合、きわめて狭い集合住宅などの玄関等出入り口においても、スペースを取ることなく、収納可能となる。
【００５６】
また、図９には、トイレＴ等において、常に一方向につま先が向かうような配置が望ましい場所での使用例を示している。例えば、トイレＴに入るとき、つま先が前方を向いていると履きやすく、向きを変えると手でスリッパに触れることとなり、衛生的でない場合がある。
また更に、トイレＴから出るときに玄関等と違って、向きを直さずに出てくる人が見られる。このような場所においても、意識的にスリッパの向きを変える習慣をつけるという意味で社会的なモラルの向上に資する効果を発揮し得るものである。
なお、履物の整列基材に整列を推奨する方向を意識させるための表示部Ｈを設け、例えば、「つま先を前方に」や「そろえて脱ぎましょう」等の表示をすることで、係る効果を発揮することが可能となり、次に使用する人が気持ちよく使用できる環境を提供することができる。
【産業上の利用可能性】
【００５７】
本発明に係る履物及び履物の整列基材１は、履物を整然と整列させる技術についての産業上の利用可能性は大きいと解する。
【符号の説明】
【００５８】
１  履物及び履物の整列基材
２  履物
３  整列基材
４  第１の履物用永久磁石
５  第２の履物用永久磁石
６  マットシート材
７  第１整列基材マット用永久磁石
８  第２整列基材のマット用永久磁石
９  磁石シート
１０  床材
１１  棒状の第１の履物用永久磁石
１２  平板状の第１の履物用永久磁石
１３  左用第１の履物用永久磁石
１４  右用第１の履物用永久磁石
１５  左用第２の履物用永久磁石
１６  右用第２の履物用永久磁石
１７  左用第１の整列基材マット用永久磁石
１８  右用第１の整列基材
１９  左用第２の整列基材
２０  右用第２の整列基材
９１０  左用磁石シート
９２０  右用磁石シート
２０１  履物底部
２０２  かかと部
２０３  突起部
４０１  吸着側磁極部
４０２  非吸着側磁極部
７０１  吸着側磁極部
７０２  非吸着側磁極部
７１０  リング状の整列基材用永久磁石
７２０  放射状の整列基材用永久磁石
７２１  棒状永久磁石
７２２  反発用磁極部
７２３  吸着用磁極部
２１０  左用履物
２２０  右用履物
９０１  履物側磁極部
９０２  床材側磁極部
Ｔ        トイレ
Ｈ        表示部
【図１】
0006027201.tif 000002
【図２】
0006027201.tif 000003
【図３】
0006027201.tif 000004
【図４】
0006027201.tif 000005
【図５】
0006027201.tif 000006
【図６】
0006027201.tif 000007
【図７】
0006027201.tif 000008
【図８】
0006027201.tif 000009
【図９】
0006027201.tif 000010